(57)【要約】【課題】ワックスなどの熱融解性化合物の熱融解作用によって設定温度超過の事実を表示する発色形示温シートは、電力の送配電施設や鉄道へ信号ケーブル施設をはじめ各種産業分野において広く用いられているが、この発色形示温シートを測定対象物に固定する際には対象物表面を清浄化する作業が必要であり、この作業はことのほか面倒であり、特に屋外の高所においては非常に困難を伴っていた。【構成】長尺平板状をなし、可撓性を有するストラップ部２と、該ストラップ部２の基端側に設けられ、該ストラップ部２の先端側を挿通係止させるヘッド部３とからなる結束バンド１のストラップ部２に、表面側から視認出来る様に、発色形示温シート５を固定して示温具を構成した。【選択図】  図１
2006300584.tif 000002
【特許請求の範囲】
【請求項１】
長尺平板状をなし、可撓性を有するストラップ部２と、該ストラップ部２の基端側に設けられ、該ストラップ部２の先端側を挿通係止させるヘッド部３とからなる結束バンド１のストラップ部２に、表面側から視認出来る様に、発色形示温シート５を固定したことを特徴とする示温具。
【請求項２】
ストラップ部２の表面側に透明なポケット４が設けられており、このポケット４の一辺に設けられた挿入用開口部１０から発色形示温シート５をポケット４内に挿入保持する様にしたことを特徴とする請求項１記載の示温具。
【請求項３】
二層構造となった透明なストラップ部２ａと２ｂの間に発色形示温シート５がはさみ込まれていることを特徴とする請求項１記載の示温具。
【請求項４】
ストラップ部２の表面側に発色形示温シート５を位置させ、その上をそれより大きい透明な合成樹脂フィルム６で被覆し、この合成樹脂フィルム６の周縁部７をストラップ部２の表面に接着せしめたことを特徴とする請求項１記載の示温具。
【請求項５】
発色形示温シート５の裏面に粘着剤層１１を形成し、この粘着剤層１１によって発色形示温シート５をストラップ部２に固定せしめたことを特徴とする請求項１記載の示温具。
【請求項６】
ストラップ部２が熱伝導性の良好な合成樹脂によって形成されていることを特徴とする請求項１記載の示温具。
【発明の詳細な説明】
【技術分野】
【０００１】
この発明は発色形示温シートを用いた示温具、詳しくは取付け作業が極めて容易な示温具に関するものである。
【背景技術】
【０００２】
ワックスなどの熱融解性化合物の熱融解作用によって色紙等を発色させて設定温度超過の事実を表示する発色形示温シートは、安価な割には感知精度が高く、誤作動のおそれが少なく、電源等の付帯設備が不要であり、設置スペースも僅少で足りる、などの数々の利点から熱管理を必要とする多くの産業分野において広く使用されている。特に、電力の送配電施設や鉄道の信号ケーブル施設などにおいては、この発色形示温シートの利点が十分に生かせるとして、最近大いに注目されている。
【特許文献１】特開２００１−８３０２０公報
【非特許文献１】なし
【発明の開示】
【発明が解決しようとする課題】
【０００３】
従来の発色形示温シートは、本体の裏面に粘着剤層を形成せしめ、この粘着剤層によって被測定物表面に固定させる様にしていた。各種機器類への実際の取り付けは、取り付け箇所表面をアルコールなどの溶剤や洗剤で拭いて汚れや油脂などを除去してその表面を清浄化した後、この発色形示温シートの粘着剤層を被覆している剥離紙をはがして粘着剤層を露出させ、その後速やかにこの清浄化した表面に貼り付けるという手順で行われている。
【０００４】
これら一連の作業は、手の届きやすい場所なら特に問題なく実施出来るが、取り付け箇所が手の届きにくい高所の場合などでは非常に手間取り、作業に危険を伴うことすらあった。
【０００５】
特に、高所に架設された電線や配電施設にこの発色形示温シートを取り付ける作業は大変であり、風雨や塵埃に晒され汚染しているその表面の清浄化処理は、想像以上に困難であった。しかし、表面の清浄化を十分に行わない場合には、この発色形示温シートの接着が不十分となり、その剥離等が発生し、温度感知に支障を生ずることになる。  
【０００６】
本発明者は発色形示温シートの取付けに関する上記従来の問題点を解決すべく研究を行った結果、従来の場合の様に、取付箇所表面の清浄化処理を全く必要とせず、簡単かつ確実に取り付けることが出来る発色形示温シートを用いた示温具を開発するに至り、本発明としてここに提案するものである。
【課題を解決するための手段】
【０００７】
長尺平板状をなし、可撓性を有するストラップ部２と、該ストラップ部２の基端側に設けられ、該ストラップ部２の先端側を挿通係止させるヘッド部３とからなる結束バンド１のストラップ部２に、表面側から視認出来る様に、発色形示温シート５を固定して示温具を構成することにより上記課題を解決した。
【発明の効果】
【０００８】
この示温具においては、ストラップ部２を温度感知しようとする部材８に巻き付け、ヘッド部３に係止させることによって部材８へ固定するので、従来のものの様に、被測定部の清浄化処理は全く必要なく、極めて簡単に示温具を所望箇所に固定することが出来る。特に、送電線や鉄道用信号ケーブルなど屋外かつ高所に位置し、表面の清浄化処理がしにくい器材にとっては大きな効果がある。
【発明を実施するための最良の形態】
【０００９】
結束バンドに発色形示温シートを固定せしめたことを最大の特徴としている。
【実施例１】
【００１０】
図１はこの発明に係る示温具の実施例１の斜視図である。図１は、この示温具の構成要素の一つである結束バンドであり、長尺平板状をなし、可撓性を有する合成樹脂製のストラップ部２と、該ストラップ部２の基端側に設けられ、ストラップ部２の先端側を挿通係止させるスリット９を有するヘッド部３とからなっている。これら構造は、タイラップ（商品名）、コンベックス（商品名）、インシュロック（商品名）などの名称で市販されている既存の結束バンドと基本的に同じである。なお、ストラップ部２は熱伝導性の良好な合成樹脂を素材とすることが望ましい。そして、ストラップ部２の表面側には透明なポケット４が設けられており、図２に示す様に、ポケット４の一辺に設けられた挿入用開口部１０から発色形示温シート５をこのポケット４内に挿入、保持出来る様になっている。なお、図中１２は発色形示温シート５に形成されている温度表示マークである。
【００１１】
上述の通り、この実施例においては、ポケット４内に発色形示温シート５を挿入、保持する様にしたが、要は、ストラップ部２の表面側から見える様に発色形示温シート５を固定出来れば良いのであり、図３に示す様に、二層構造になった透明なストラップ部２ａと２ｂの間に発色形示温シート５をはさみ込む様にしたり、図４及び図５に示す様に、ストラップ部２の表面側に発色形示温シート５を位置させ、その上をそれより大きい透明な合成樹脂フィルム６で被覆し、この合成樹脂フィルム６の周縁部７を高周波溶着等によりストラップ部２の表面に接着することにより、発色形示温シート５を固定する様にしても良い。又、図６及び図７に示す様に、発色形示温シート５の裏面に粘着剤層１１を形成し、この粘着剤層１１によってストラップ部２の表面側に発色形示温シート５を直接固定しても良く、何らかの手段によって発色形示温シート５が表面側から見える様にストラップ部２に固定されていれば良いのである。なお、上記各実施例においては、ストラップ部２の発色形示温シート５を固定する箇所を他の部分より横幅を広く形成したが、ストラップ部２が発色形示温シート５を固定するに足る十分な幅を有する場合には、図８に示す様にストラップ部２の横幅を均一に形成しても良い。
【００１２】
この様にして構成された示温具は、図９に示す様に温度感知をしようとする部材８の所定位置に巻き付け、ストラップ部２の先端側をヘッド部３に挿通し、これをきつく締め上げてヘッド部３に係止させて部材８への固定を行う。このとき、発色形示温シート５を固定したストラップ部２は、温度感知をしようとする部材８に密着しているので、発色形示温シート５への熱の伝達には何ら問題ない。
【００１３】
この様に、この示温具においては、ストラップ部２を温度感知しようとする部材８に巻き付け、ヘッド部３に係止させることによって部材８へ固定するので、従来のものの様に、被測定部の清浄化処理は全く必要なく、極めて簡単に示温具を所望箇所に固定することが出来る。特に、送電線や鉄道用信号ケーブルなど屋外かつ高所に位置し、表面の清浄化処理がしにくい器材にとっては大きな効果があり、極めて高い実用性を有している。
【産業上の利用可能性】
【００１４】
熱管理を必要とするあらゆる産業分野において利用可能である。
【図面の簡単な説明】
【００１５】
【図１】この発明に係る示温具の一実施例の斜視図。
【図２】同じく、図１に示す示温具において、ストラップ部２に形成されているポケット４に発色形示温シート５を挿入しつつある状況を示した斜視図。
【図３】同じく、ストラップ部２ａと２ｂとの間に発色形示温シート５をはさみ込むことにより、それを固定する様にした実施例の斜視図。
【図４】同じく、発色形示温シート５をストラップ部２の表面側に位置させ、その上を透明な合成樹脂フィルム６で被覆しようとしている状況の斜視図。
【図５】図４に示す方法により発色形示温シート５をストラップ部２に固定した実施例の斜視図。
【図６】同じく、発色形示温シート５の表面に粘着剤層１１を形成し、この粘着剤層１１によって、発色形示温シート５をストラップ部２に固定しようとしている状況の斜視図。
【図７】図６に示す方法により、発色形示温シート５をストラップ部２に固定した実施例の斜視図。
【図８】ストラップ部２の横幅が均一に形成されている実施例の斜視図。
【図９】この示温具を温度感知すべき部材８に実際に取り付けた状態の斜視図。
【符号の説明】
【００１６】
１    結束バンド
２    ストラップ部
３    ヘッド部
４    ポケット
５    発色形示温シート
６    合成樹脂フィルム
７    周縁部
８    部材
９    スリット
１０    開口部
１１    粘着剤層
１２    温度表示マーク
【図１】
2006300584.tif 000003
【図２】
2006300584.tif 000004
【図３】
2006300584.tif 000005
【図４】
2006300584.tif 000006
【図５】
2006300584.tif 000007
【図６】
2006300584.tif 000008
【図７】
2006300584.tif 000009
【図８】
2006300584.tif 000010
【図９】
2006300584.tif 000011